(57)【要約】【課題】矩形状のシート状部材を備え、このシート状部材に、案内表示装置としての機能を持たせ、更に簡易に脱着可能とすることで、案内表示を交換可能とした防煙垂壁を提供する。【解決手段】防煙垂壁１は、固定部材２と、基体３と、光源としてのＬＥＤ発光部８と、基体３から垂下して配置された壁構成部材４と、壁構成部材４の外周の一部を囲むシート状部材５とを備える。シート状部材５は、短手方向の一方端側の部位に挿入係合部材５３６１が複数形成された挿入部５３を有し、挿入部５３を、取付部３４の孔部３４２に挿入することにより、基体３を介して固定部材２に取り付けられる。シート状部材５は、短手方向の他方端側の部位に接着部として両面シール５４が設けられ、両面シール５４を利用して基体３の延出部３５に接着させることにより、シート状部材５を張った状態で壁構成部材４に装着することができる。【選択図】図２
2019107242.tif 000002
【特許請求の範囲】
【請求項１】
矩形状のシート状部材と、前記シート状部材を人工構造物の天井に固定するための長尺の基体とを備えた防煙垂壁であって、
前記シート状部材は、短手方向の一方端側の部位に挿入係合部材が複数形成された挿入部が設けられ、前記挿入部を、前記基体の長手方向側及び下側に向けて開口した条状の孔部に挿入することにより、前記基体に取り付けられると共に、
短手方向の他方端側の部位に接着部が設けられ、前記接着部を所定の部位に接着させることにより、前記シート状部材を張った状態で装着することができることを特徴とする防煙垂壁。
【請求項２】
矩形状のシート状部材と、人工構造物の天井に固定された固定部材と、前記シート状部材を人工構造物の天井に固定するための長尺の基体と、前記基体に配置された光源と、前記基体から垂下して配置され、前記基体の軸方向に沿って延びる一対の立面を有し、前記光源からの入力光を前記一対の立面のうちの任意の立面に導くことができ、不燃性及び透光性を有する壁構成部材とを備え、前記シート状部材を前記壁構成部材の前記立面の双方と対峙して配置する防煙垂壁であって、
前記シート状部材は、短手方向の一方端側の部位に挿入係合部材が複数形成された挿入部が設けられ、前記挿入部を、前記壁構成部材の一対の立面の一方側に配置され、前記基体を構成する取付部の長手方向側及び下側に向けて開口した条状の孔部に挿入することにより、少なくとも前記基体を介して前記固定部材に取り付けられると共に、
短手方向の他方端側の部位に接着部が設けられ、前記接着部を前記壁構成部材の一対の立面の他方側にて前記基体から下側に延びる延出部に接着させることにより、前記シート状部材を張った状態で前記壁構成部材の外周に装着することができることを特徴とする防煙垂壁。
【請求項３】
前記シート状部材は、前記壁構成部材の前記立面の一方と対峙することができる第１の対峙部位の面と、前記壁構成部材の前記立面の他方と対峙することができる第２の対峙部位の面と、第１の対峙部及び前記第２の対峙部位を連接すると共に前記壁構成部材の鉛直方向の下端側の面と対峙することができる第３の対峙部位の面とで同一平面状をなしていることを特徴とする請求項２に記載の防煙垂壁。
【請求項４】
前記壁構成部材は、２つの導光板と、光拡散シートとを有し、前記２つの導光板の他方の導光板と対峙する面を凹凸になるように処理すると共に、前記導光板の間に前記光拡散シートが介在されていることを特徴とする請求項２又は請求項３に記載の防煙垂壁。
【請求項５】
矩形状のシート状部材と、前記シート状部材を人工構造物の天井に固定するための長尺の基体とを備え、前記シート状部材は、前記基体の軸方向に沿って延びる一対の立面を有する壁構成部材を兼ねる防煙垂壁であって、
前記シート状部材は、短手方向の一方端側の部位に挿入係合部材が複数形成された挿入部が設けられ、前記挿入部を、前記基体の長手方向側及び下側に向けて開口した条状の孔部に挿入することにより、前記基体に取り付けられると共に、
短手方向の他方端側の部位に接着部が設けられ、前記接着部を前記基体よりも下側の位置にある所定の部位に接着させることにより、前記シート状部材を張った状態で装着することができることを特徴とする防煙垂壁。
【発明の詳細な説明】
【技術分野】
【０００１】
この発明は、防煙区画を構成する防煙垂壁であって、避難経路等の案内を表示する案内表示の機能も備えたものに関する。
【背景技術】
【０００２】
建物の天井から所定寸法（例えば、５０ｃｍ（政令第２８条第１項に掲げる防火対象物にあっては８０ｃｍ））以上にて垂下する防煙垂壁について、建物が商業施設や娯楽施設等、要避難者が多数発生する可能性がある場所に設置する場合を考えて、案内表示の機能も備えさせることは、例えば特許文献１等に示されるように既に公知になっている。特許文献１の防煙垂壁は、蓄光発光性の印刷部を部分的に有する透明基材を芯材とし、この芯材の両面に印刷部を部分的に有するメッシュシートを積層した後、更にメッシュシートの外面に透明保護層を積層した５層の構成となっている。印刷部には、案内表示のための文字等が記載されている。
【０００３】
また、特許文献２では、不燃性又は難燃性のシートの少なくとも上端に中空筒状部を設け、この中空筒状部を天井に固定された上側レール部材の装着部に軸方向から挿入し、中空筒状部に軸棒を軸方向から挿入するようにした防煙垂壁が示されている。
【先行技術文献】
【特許文献】
【０００４】
【特許文献１】特開２０１４−１３２２９４号公報
【特許文献２】特開２０１３−８１７４７号公報
【発明の概要】
【発明が解決しようとする課題】
【０００５】
もっとも、特許文献１に示される防煙垂壁は、発光には十分な蓄光が前提となる発光体を用いるので、ＬＥＤ（Light Emitting Diode）を発光体として用いる場合と比較して、発光の確実性及び長時間性に欠ける。また、特許文献１に示される防煙垂壁は、透明芯材の全面にメッシュシートを直接的に張り付ける。このため、メッシュシートの印刷部と透明芯材の印刷部とにずれが生じないように張り付けることが困難である。しかも、透明芯材からメッシュシートを剥がすのも容易でないので、別の内容の案内表示に変えるためにメッシュシートを交換することも困難である。更に、特許文献１に示される防煙垂壁は、２つの透明保護層、２つのメッシュシート、１つ透明芯材で５層に形成されるので、大きな重量を有し、厚みも大きくなってしまうという不具合がある。
【０００６】
この点、特許文献２に示される不燃性又は難燃性のシートに案内表示のための文字等を記載して透明芯材の両側に配置すれば、少なくとも引用文献１の透明芯材の両側にシートを全面的に張らなくても良くすることが考えられる。
【０００７】
しかしながら、特許文献２に示されるように、シートの上端部を中空筒状部とし、この中空筒状部を天井に固定された上側レール部材の装着部に軸方向から挿入したり、上側レール部材の装着部に装着されたシートの中空筒状部に軸棒を挿入したりする作業では、たとえ軸棒をくの字状に曲げたとしても、上側レール部材の装着部の軸方向において、ある程度の挿入するための空間を必要とする。
【０００８】
本発明は、上記課題を解決するためになされたものであって、素材として震災等の災害で破損し難く、任意の全方向に自在に撓むことができ、破損しても飛散しないシート状部材を備え、このシート状部材に、案内表示装置としての機能を持たせ、更に簡易に脱着可能とすることで、案内表示の交換もできるようにした防煙垂壁を提供することを目的としている。
【課題を解決するための手段】
【０００９】
上記目的を達成すべく、請求項１に記載の防煙垂壁は、矩形状のシート状部材と、前記シート状部材を人工構造物の天井に固定するための基体とを備えた防煙垂壁であって、前記シート状部材は、短手方向の一方端側の部位に挿入係合部材が複数形成された挿入部が設けられ、前記挿入部を、前記基体の長手方向側及び下側に向けて開口した条状の孔部に挿入することにより、前記基体に取り付けられると共に、短手方向の他方端側の部位に接着部が設けられ、前記接着部を所定の部位に接着させることにより、前記シート状部材を張った状態で装着することができることを特徴としている。人工構造物は、建物の他、トンネル、地下街等も含まれる。基体は、固定部材を介して天井に間接的に固定される場合や固定部材を用いずに天井に直接的に固定される場合も含む。接着部は、例えば一方面がシート状部材に接着し、他方面が壁構成部材に接着可能な両面シールである。挿入係合部材は、形状的にファスナーの務歯やファスナーエレメント等と称される部材と近似した構成をなしている。
【００１０】
これにより、シート状部材の取り付けは、短手方向の一方端側の部位に設けられた挿入部を基体の下方に向けて開口した条状の孔部に挿入し、短手方向の他方端側の部位に設けられた接着部を所定の部位に接着するだけで良いので、作業員の熟練度等に関わりなく作業を行うことが可能である。また、挿入部を基体の孔部に挿入するときに、孔部との係合手段が複数の挿入係合部材で形成されているので、基体の条状に延びる孔部の軸方向に空間がなくても簡易に挿入部を基体の孔部に当該孔部の軸方向から装着することができる。更に、短手方向の他方端側の部位の接着部を所定の部位に接着するときに、シート状部材を張った状態にしつつ接着することができるので、シート状部材を見栄え良く接着することが可能である。更にまた、シート状部材の接着部を所定部位から外し、挿入部を取付部の孔から引き出すのみで、シート状部材を取り外すことができるので、異なる表示がされたシート状部材への交換も簡易に行うことが可能である。
【００１１】
請求項２に記載の実施例１に対応した防煙垂壁は、矩形状のシート状部材と、人工構造物の天井に固定された固定部材と、前記シート状部材を人工構造物の天井に固定するための基体と、前記基体に配置された光源と、前記基体から垂下して配置され、前記基体の軸方向に沿って延びる一対の立面を有し、前記光源からの入力光を前記一対の立面のうちの任意の立面に導くことができ、不燃性及び透光性を有する壁構成部材とを備え、前記シート状部材を前記壁構成部材の前記立面の双方と対峙して配置する防煙垂壁であって、前記シート状部材は、短手方向の一方端側の部位に挿入係合部材が複数形成された挿入部が設けられ、前記挿入部を、前記壁構成部材の一対の立面の一方側に配置され、前記基体を構成する取付部の下方に向けて開口した条状の孔部に挿入することにより、少なくとも前記基体を介して前記固定部材に取り付けられると共に、短手方向の他方端側の部位に接着部が設けられ、前記接着部を前記壁構成部材の一対の立面の他方側にて前記基体から下方に延びる延出部に接着させることにより、前記シート状部材を張った状態で前記壁構成部材の外周に装着することができることを特徴としている。光源は、例えばＬＥＤ発光部等である。
【００１２】
これにより、請求項２に記載の防煙垂壁において、前記請求項１に記載の防煙垂壁と同様の作用効果を得ることができると共に、光源からの入力光が壁構成部材の立面に導かれた後、当該壁構成部材の立面及びその立面に配されたシート状部材を抜けて放出されるので、シート状部材に描かれた案内表示のための文字や図等を見やすくすることが可能となる。
【００１３】
そして、前記請求項２に記載の防煙垂壁にあって、前記シート状部材は、前記壁構成部材の前記立面の一方と対峙することができる第１の対峙部位の面と、前記壁構成部材の前記立面の他方と対峙することができる第２の対峙部位の面と、第１の対峙部及び前記第２の対峙部位を連接すると共に前記壁構成部材の鉛直方向の下端側の面と対峙することができる第３の対峙部位の面とで同一平面状をなしていることを特徴としている（請求項３）。
【００１４】
これにより、基体の孔部に挿入部を挿入した状態で、シート状部材を折り曲げて、第３の対峙部位を壁構成部材の下面に対峙させた後、更にシート状部材を折り曲げて、接着部を基体の延出部まで到達させて、接着部をかかる延出部に接着させることが可能となる。
【００１５】
また、前記請求項２、３に記載の防煙垂壁にあって、前記壁構成部材は、２つの導光板と、光拡散シートとを有し、前記２つの導光板の他方の導光板と対峙する面を凹凸になるように処理すると共に、前記導光板の間に前記光拡散シートが介在されていることを特徴としている（請求項４）。凹凸になるように処理する方法としては、レーザーカットにより導光板の表面に複数の溝を形成する処理や、超音波加工により導光板の表面に複数の突起を形成する処理や、シルク印刷により導光板の表面に突起を形成する処理等がある。
【００１６】
このように導光板の対峙する面を凹凸になるように処理するのみでなく、更に導光板の間に光拡散シートを配置することにより、壁構成部材の一方の立面側に配置されえたシート状部材の部位に記載された案内表示のための文字や図等と、壁構成部材の一方の立面側に配置されえたシート状部材の部位に記載された案内表示のための文字や図等とが異なっていても、光源をＯＮにした場合に、相互に裏映りすることなく表示されるので、見難くなることがなく、両側で異なる案内表示を行うことが可能であり、案内表示の機能をより高めることができる。
【００１７】
請求項５に記載の実施例２に対応した防煙垂壁は、矩形状のシート状部材と、前記シート状部材を人工構造物の天井に固定するための基体とを備え、前記シート状部材は、前記基体の軸方向に沿って延びる一対の立面を有する壁構成部材を兼ねる防煙垂壁であって、前記シート状部材は、短手方向の一方端側の部位に挿入係合部材が複数形成された挿入部が設けられ、前記挿入部を、前記基体の下方に向けて開口した条状の孔部に挿入することにより、前記基体に取り付けられると共に、短手方向の他方端側の部位に接着部が設けられ、前記接着部を前記基体よりも下方の位置にある所定の部位に接着させることにより、前記シート状部材を張った状態で装着することができることを特徴としている。
【００１８】
これにより、請求項５に記載の防煙垂壁において、前記請求項１に記載の防煙垂壁と同様の作用効果を得ることができると共に、シート状部材が壁構成部材を兼ねることで、防煙垂壁としての構造の簡略化、軽量化を図ることが可能である。更には、基体の構造によっては既に天井に固定された基体に取り付けることも可能である。
【発明の効果】
【００１９】
以上に述べたように、本発明によれば、短手方向の一方端側の部位に設けられた挿入部を基体の下方に向けて開口した条状の孔部に挿入し、短手方向の他方端側の部位に設けられた接着部を所定の部位に接着するだけで良いので、作業員の熟練度等に関わりなく作業を行うことが可能である。また、本発明によれば、挿入部を基体の孔部に挿入するときに、孔部との係合手段が複数の挿入係合部材で形成されているので、基体の条状に延びる孔部の軸方向に空間がなくても簡易に挿入部を基体の孔部に当該孔部の軸方向から装着することができる。更に、本発明によれば、短手方向の他方端側の部位の接着部を所定の部位に接着するときに、シート状部材を張った状態にしつつ接着することができるので、シート状部材を見栄え良く接着することが可能である。更にまた、本発明によれば、シート状部材の接着部を所定部位から外し、挿入部を取付部の孔から引き出すのみで、シート状部材を取り外すことができるので、異なる表示がされたシート状部材への交換も簡易に行うことが可能である。
【００２０】
特に請求項２に記載の発明によれば、光源からの入力光が壁構成部材の立面に導かれた後、当該壁構成部材の立面及びその立面に配されたシート状部材を抜けて放出されるので、シート状部材に描かれた案内表示のための文字や図等を見やすくすることが可能となる。
【００２１】
特に請求項３に記載の発明によれば、基体の孔部に挿入部を挿入した状態で、シート状部材を折り曲げて、第３の対峙部位を壁構成部材の下面に対峙させた後、更にシート状部材を折り曲げて、接着部を基体の延出部まで到達させて、接着部をかかる延出部に接着させることが可能である。
【００２２】
特に請求項４に記載の発明によれば、導光板の対峙する面をレーザーカットで処理するのみでなく、更に導光板の間に光拡散シートを配置することにより、壁構成部材の一方の立面側に配置されえたシート状部材の部位に記載された案内表示のための文字や図等と、壁構成部材の一方の立面側に配置されえたシート状部材の部位に記載された案内表示のための文字や図等とが異なっていても、光源をＯＮにした場合に、相互に裏映りすることなく表示されるので、見難くなることがなく、両側で異なる案内表示を行うことが可能であり、案内表示の機能をより高めることができる。
【００２３】
特に請求項５に記載の発明によれば、シート状部材が壁構成部材を兼ねることで、防煙垂壁としての構造の簡略化、軽量化を図ることが可能である。更には、基体の構造によっては既に天井に固定された基体に取り付けることも可能である。
【図面の簡単な説明】
【００２４】
【図１】防煙垂壁の壁構成部材とシート状部材とが別とした態様の一例の全体構成を示した説明図であり、図１（ａ）は前記防煙垂壁の正面図、図１（ｂ）は前記防煙垂壁の底面図である。
【図２】図１（ａ）のＩ-Ｉ線断面図である。
【図３】防煙垂壁に用いられるシート状部材の全体個性を示した説明図であり、図３（ａ）は前記シート状部材を広げた状態の正面図、図３（ｂ）は前記シート状部材を広げた状態の側面図である。ただし、シート状部材の図上の横幅の寸法は実際よりも便宜的に短くして示してある。
【図４】防煙垂壁を構成する基体の孔部にシート状部材の挿入係合部材を挿入する過程を示した説明図である。
【図５】基体に一方端が取り付けられたシート状部材の他方端を、接着部により基体に接着する過程を順に示した説明図である。
【図６】基体、壁構成部材及びシート状部材の組み付け体を固定部材に取り付ける過程を示した説明図である。
【図７】前記組み付け体を固定部材に取り付けた状態を示した説明図である。
【図８】固定部材に前記組み付け体が取り付けられた状態から、更に、吊り金具を取り付ける過程を示した説明図である。
【図９】防煙垂壁としてシート状部材が壁構成部材も兼ねるとした態様の一例の構成を示した説明図である。
【図１０】防煙垂壁を構成する基体（天井への固定部材でもある。）の孔部にシート状部材の挿入係合部材を挿入する過程を示した説明図である。
【発明を実施するための形態】
【００２５】
以下、この発明の実施形態について添付図面を参照しながら説明する。この発明に係る防煙垂壁１は、建物、地下街、地下鉄の駅構内等の人工構造物の天井Ｃに設置されることにより、防煙区画を構成するものである。防煙垂壁１の構成例について、以下において実施例１と実施例２とを示して説明する。
【実施例１】
【００２６】
図１から図８で示される実施例１の防煙垂壁１は、固定部材２と、基体３と、壁構成部材４と、シート状部材５と、吊り金具６と、一対の側枠７とを有して構成されている。これらの固定部材２、基体３、壁構成部材４、シート状部材５、吊り金具６及び側枠７は、不燃性或いは耐火性の部材で覆われることができる部材以外の部材、すなわち外部に露出する部材にあっては、全て不燃性或いは耐火性を有する素材で形成されている。この点では、後述する実施例２も同様である。
【００２７】
固定部材２は、図２に示されるように、人工建造物の天井Ｃに固定されるものであり、天井レール等とも称され、横方向に長尺の収容部２１を有している。収容部２１は、側壁部２１１、２１１と、これら側壁部２１１、２１１間に架設された中壁部２１２とで基本的に構成され、これらの側壁部２１１、２１１１及び中壁部２１２により、基体３、壁構成部材４及びシート状部材５からなる組み付け体Ｕの特に基体３に当たる部位を収容することが可能な収容空間Ｓが内部に画成されている。
【００２８】
収容空間Ｓは、収容部２１の軸方向の両側と下方とが開放されている。側壁部２１１、２１１は、中壁部２１２よりも下方において、下記する吊り金具６が挿入・載置される突出部２１１ａ、２１１ａが対峙するかたちで収容空間Ｓ内に延出されている。側壁部２１１、２１１は、突出部２１１ａ、２１１ａよりも下方、すなわち収容空間Ｓの下方開放口端にも、突出部２１１ｂ、２１１ｂが対峙するかたちで形成されている。
【００２９】
そして、固定部材２は、収容部２１の側方の両側にフランジ部２２、２２が形成されており、天井Ｃの開口部Ｈ内に装着された収容部２１を、フランジ部２２、２２が開口部Ｈの開口端部位に接面することで、支持している。もっとも、図示しないが、固定部材２をビス等で天井Ｃに固定するようにしても良い。
【００３０】
基体３は、例えばアルミニウム等の不燃材を素材として構成されており、Ｃチャンネル等とも称され、上枠部３１と、上枠部３１の短手方向の両側から下方に延びる側枠部３２、３３とで基本的に構成されている。基体３の上枠部３１には、光源として複数のＬＥＤ発光部８が条状に取り付けられると共に、光ムラをなくすためにＬＥＤ発光部８の下方に所定の間隔を空けて壁構成部材４の上側部位が収容されるようになっている。この実施例１では、基体３の短手方向寸法が収容部２１の突出部２１１ａ、２１１ａ間の寸法よりも小さく、基体３の上枠部３１が固定部材２の中壁部２１２に当接するまで収容空間Ｓ内に挿入可能となっている。これにより、基体３の上枠部３１に取り付けられたＬＥＤ発光部８も固定部材２の収容空間Ｓの奥側（上方）に位置することができるので、ＬＥＤ発光部８からの光が不必要に真下以外の方向に漏れることが防止されている。基体３は、シート状部材５を取り付けるために、取付部３４及び延出部３５を有しているが、これらの取付部３４、延出部３５については後述する。
【００３１】
壁構成部材４は、この実施例１では、図２、図５、図６及び図７に示されるように、２つの導光板４１、４２と、下端部材４３と、光拡散シート４４とを有して構成されている。導光板４１、４２は、透光性に優れた素材（ただし、ガラス等の破損しやすい素材は除く。）で形成された肉厚の薄い板状体であり、この実施例１では例えばアクリル等の素材で形成されている。そして、導光板４１と導光板４２とは層状に重ね合わされた構成となっており、導光板４１、４２の他方の導光板４２、４１と対峙する面はレーザー加工されている。更に、導光板４１、４２の間に光拡散シート４４が介在されている。光拡散シート４４は薄い紙状のもので、面に当たった光を反対側に通すことはできるが、かかる面に当たった光を拡散する方が主な機能となっている。下端部材４３は、導光板４１、４２の最下端側に配置されているもので、略半円の円柱状をしている。このように、下端部材４３を導光板４１、４２の最下端側に配置したのは、壁構成部材４を下方から見た場合に、ＬＥＤ発光部８の光が導光板４１、４２を透過しても減衰することなく強い光のまま目に入る等による不快感、その他の不具合を、下枠等で覆わずに代わりに下側部材４３を透過させることで解消させるためである。このため、下端部材４３を更に１／４の円柱状として導光板４１、４２と一体化させ、導光板４１、４２の下端の角部をなくす等しても良い。
【００３２】
このような壁構成部材４の構成としたことにより、導光板４１、４２の上方から導光板４１、４２に入射したＬＥＤ発光部８の光が、導光板４１、４２のレーザー加工された面や光拡散シート４４により反射・拡散して、導光板４１、４２の光拡散シート４４とは反対側の立面（壁構成部材４の外側の立面）から射出されると共に、光拡散シート４４により反対側の立面の映り込みが防止されている。よって、シート状部材５の壁構成部材４の外側の立面の外側に配置された部位に文字や図形等の案内表示が施されている場合に、かかる案内表示を見やすくすることができると共に、シート状部材５の導光板４１側と導光板４２とで異なる案内表示が施されていても、相互に裏映りして見難くなることも防止される。
【００３３】
吊り金具６は、吊り子等とも称されるもので、図１及び図８に示されるように、掛吊部材６１、受け部材６２及び連結棒６３を有して構成されている。掛吊部材６１、受け部材６２及び連結棒６３は、この実施例１では金属製である。掛吊部材６１は、例えば板状の部材であり、連結棒６３の一方端に螺合のかたちで装着されて、固定部材２の収容空間Ｓに例えば固定部材２の軸方向から挿入され、突出部２１１ａ、２１１ａ上に載置されることで、固定部材２に取り付けられる。これにより、基体３は、壁構成部材４との組み合わせ時に、両端が吊り金具６の掛吊部材６１の幅ほど短くなっている。受け部材６２は、受け板６２１及びこの受け板６２１の短手方向の両側から上方に延びる側板６２２、６２２から構成されて、断面が略Ｕ字状をなしている。これにより、受け部材６２にて、シート状部材５が装着された状態の壁構成部材４について、その下端部を下方から受けることができる。そして、連結棒６３の下端にある頭部６３ａに工具（図示せず。）を差し込む等して、連結棒６３を所定方向に回転させることで、掛吊部材６１の固定部材２への取り付け状態を強めたり緩めたりする調整をすることが可能である。
【００３４】
側枠７は、端部ジョイントや中間ジョイント等とも称されるもので、例えばアルミニウム等の金属を素材とし、２つの側板７１、７１と、図示しないが側板７１、７１間の中間板とで、断面が略コ字状ないし略Ｈ字状をなし、シート状部材５が装着された状態の壁構成部材４の側方縁部に装着される。なお、図示しない中間板には、壁構成部材４の装着側の面に、吊り金具６の連結棒６３が収まる溝部が形成されて、壁構成部材４に側枠７を装着した際に、吊り金具６の連結棒６３が妨げにならないようになっている。
【００３５】
そして、実施例１では、前述したように基体３の取付部３４及び延出部３５とシート状部材５が有する構成とにより、シート状部材５の基体３への当該シート状部材５が張った状態での取り付けを簡易な作業で可能とし、更に、シート状部材５の簡易な交換をも可能としている。以下、基体３の取付部３４、延出部３５及びシート状部材５について説明する。
【００３６】
基体３の取付部３４は、側枠部３２から下方に延びたものであり、その下側部位において、壁構成部材４側とは反対側が隆起して隆起部３４１が形成されていると共に、この隆起部３４１に下記するシート本体５１の挿入部５３が可能な条状の孔部３４２が形成されている。孔部３４２は軸方向側と下側とが開放されており、孔部３４２の軸方向側開放口端の短手方向幅は孔部３４２の下側開放口端の短手方向幅より大きく、シート本体５１の挿入部５３が孔部３４２に軸方向からのみ挿入可能となっている。基体３の延出部３５は、側枠部３３から下方に延びたものであり、少なくとも壁構成部材４とは反対側の面は、側枠部３３の壁構成部材４とは反対側の面と同一平面状となっている。
【００３７】
シート状部材５は、図３に示されるように、この実施例１ではシート本体５１と取付部材５２との２つの部材により基本的に構成されている。シート本体５１は、任意の全方向に自在に撓むことが可能な柔らかな素材で形成されており、予め基体３に装着された壁構成部材４の導光板４２側の立面と対峙することができる対峙部位５１ａ、前記壁構成部材４の下端部材４３の底面と対峙することができる対峙部位５１ｂ、及び前記壁構成部材４の導光板４１側の立面と対峙することができる対峙部位５１ｃとが連接して成る。これら対峙部位５１ａ、５１ｂ、５１ｃの面は、広げたときには同一平面状になる。シート状部材５の図３上の横幅は、固定部材２の長手方向寸法と略同じであり、シート状部材５の下記する挿入部５３、５３間の幅（図３上の縦幅）よりも長くなっている。このため、シート状部材５の図３上の縦幅がシート状部材の短手方向幅となる。
【００３８】
シート本体５１の対峙部位５１ａ，５１ｃの対峙部位５１ｂとは反対側には、それぞれ挿入部５３が形成されている。挿入部５３は、アルミ等の金属製の複数の挿入係合部材５３１と、この挿入係合部材５３１が取り付けられた薄肉で任意の全方向に自在に撓むことができる柔らかな取付部位５３２とを有して構成されている。各挿入係合部材５３１は、図３（ａ）に示されるように、取付部位５３２に固定された固定部５３１ａとこの固定部５３１ａから延びた挿入本体５３１ｂとで成る。挿入本体５３１ｂは、更に基体３の取付部３４の孔部３４２の下側開放口端の短手方向幅よりも大きな頭部と、かかる取付部３４の孔部３４２の下側開放口端の短手方向幅よりも小さな連接部とで構成されている。すなわち、挿入係合部材５３１はファスナーの務歯やファスナーエレメントに近似した構成をなし、取付部位５３２はファスナーのファスナーテープに近似した構成をなす。
【００３９】
挿入係合部材５３１は、不燃性或いは耐火性の見地から金属製であることが望ましい。もっとも、この実施例１では、挿入係合部材５３１の素材が金属でも樹脂等でも対応可能とすべく、図４に示されるように、挿入本体５３１ｂが挿入される部位から下側開放端までの寸法を相対的に長くして、挿入係合部材５３１の挿入本体５３１ｂのみならず固定部５３１ａをも覆うようになっていても良い。
【００４０】
取付部材５２は、基体３の延出部３５に原則として当接するものであり、基体３側が平面状になっていると共に、基体３とは反対側では縁部が隆起して隆起部５２１が形成されている。隆起部５２１には、孔部５２２が形成されており、この取付部材５２の孔部５２２の形状は、挿入部５３が孔部５２２の軸方向から挿入することができるように、上記した基体３の取付部３４の孔部３４２と同様の構成となっている。取付部材５２の基体３側には、基体３との接着部として両面シール５４が取り付けられている。なお、実施例２でも、シート状部材５の挿入係合部材５３１がいずれの素材でも対応可能とすべく、図１０に示されるように、孔部３４２、５２２の挿入本体５３１ｂが挿入される部位から下側開放端までの寸法が相対的に長くなっている。
【００４１】
このように、シート状部材５について、シート本体５１と取付部材５２とで別体とし且つ着脱自在とすることにより、例えば別の案内表示に変えたい場合に、取付部材５２に不具合がなければ、シート本体５１のみを交換することで対応が可能である。
【００４２】
上記の固定部材２、基体３、壁構成部材４、シート状部材５、吊り金具６及び一対の側枠７の構成とすることにより、例えば以下の作業を経ることにより、防煙垂壁１が構成される。
【００４３】
予め固定部材２を天井に固定し、基体３に壁構成部材４を装着した状態とする。シート状部材５は、シート本体５１を取付部材５２に予め取り付けておいても良い。そして、図４に示されるように、壁構成部材４が装着された基体３の取付部３４の孔部３４２に、シート状部材５の挿入部５３を、前記孔部３４２の軸方向から挿入する。このとき、シート本体５１は、任意の全方向に自在に撓む素材で形成され、挿入部５３は、複数の挿入係合部材５３１と任意の全方向に自在に撓む取付部位５２３とにより構成されているので、図４に示されるように、約９０度に折り曲げた状態から、孔部３４２に挿入させることが可能である。また、基体３の孔部３４２の長手方向において、直線状、湾曲状、く字状、波状であっても、シート状部材５を装着することができる。
【００４４】
次に、図５（ａ）に示されるように、取付部材５２を図５（ａ）の矢印方向（ｉ）に引っ張る等して、取付部材５２を壁構成部材４の導光板４１側から導光板４２側に変位させた後、図５（ｂ）に示されるように、シート本体５１が張った状態を維持しつつ、取付部材５２を基体３に両面シール５４を利用して接着させる。このとき、取付部材５２は、基体３の延出部３５に収まるように接着させることが目標とされるが、基体３の側枠部３３に取付部材５２の一部または全部が接着することとなっても良い。これにより、図５（ｃ）に示されるように、熟練を必要としない簡易な作業により、シート本体５１が壁構成部材４の外周に張った状態で装着される。
【００４５】
更に、図６に示されるように、基体３、壁構成部材４及びシート状部材５からなる組み付け体Ｕを、下方から図６の矢印方向に固定部材２の収容空間Ｓ内に挿入させて、図７に示されるように、基体３を壁構成部材４の中壁部２１２に当接させる。
【００４６】
更にまた、図８に示されるように、壁構成部材４の下側部材４３が受け部６２の受け板６２１に載るようにし、掛吊部材６１が固定部材２の突出部２１１ａ、２１１ａに載るようにしつつ、吊り金具６を固定部材２及び組み付け体Ｕに装着し、連結棒６３を回転させて、掛吊部材６１の固定部材２に接する強さを強める。そして、側枠７を取り付けることで、防煙垂壁１が構成される。
【００４７】
なお、シート状部材５のシート本体５１に記された案内表示を変更するためにシート状部材５を交換する場合には、例えば、側枠７、吊り金具６を外して、組み付け体Ｕを固定部材２から取り外した後、シート状部材５の取付部材５２を基体３から剥がし、シート状部材５の挿入部５３を基体３の孔部３４２から当該孔部３４２の軸方向に引き抜いて、改めて前記したように、別のシート状部材５を基体３に取り付けるのみで良い。このため、シート状部材５の交換作業も簡易となる。
【実施例２】
【００４８】
図９及び図１０に示される実施例２の防煙垂壁１は、先述した実施例１の防煙垂壁１とは異なり、壁構成部材４として、導光板４１、４２及び光拡散シート４４を有さず、代わりに、実施例１のシート状部材５が壁構成部材となっている。従って、実施例２で示されるシート状部材５は、シート本体５１と、取付部材５２と、シート本体５１に設けられた挿入部５３とで成るが、その構成は、実施例１のシート状部材５と同一の符号を付することでその説明を省略或いは簡略化する。
【００４９】
そして、実施例２の防煙垂壁１は、シート状部材５が取り付けられる固定部材を兼ねる基体９を有する。すなわち、実施例２の基体９は、シート状部材５が取り付けられる点で実施例１の基体３と同様であるが、天井Ｃに固定される点では実施例１の固定部材２と同様である。これに伴い、実施例２の基体９は、上側レール部材とも称される。
【００５０】
基体９は、例えばアルミニウム等の不燃材を素材として構成されており、天井Ｃに当接する当接面を有する長尺の台座９１と、この台座９１から隆起し、台座９１の長手方向に沿って延びる隆起部９２とを有し、この隆起部９２に孔部９３が形成されている。孔部９３は軸方向側と下側とが開放されており、孔部９３の軸方向側開放口端の短手方向幅は孔部９３の下側開放口端の短手方向幅より大きく、シート本体５１の挿入部５３が孔部９３に軸方向からのみ挿入可能となっている。実施例２でも、挿入係合部材５３１の素材が金属でも樹脂等でも対応可能とすべく、図１０に示されるように、孔部９３について、挿入本体５３１ｂが挿入される部位から下側開放端までの寸法を相対的に長くして、挿入係合部材５３１の挿入本体５３１ｂのみならず固定部５３１ａをも覆うようになっていても良い。
【００５１】
シート状部材５の取付部材５２の両面シール５４が接着される被取付体Ｗは、基体９に対し鉛直方向の真下かそれに近い位置にあれば、例えば既に設けられていた横枠等であっても良い。
【００５２】
これにより、図１０に示されるように、基体９の孔部９３に、シート状部材５の挿入部５３を、前記孔部９３の軸方向から挿入する。このとき、シート本体５１は、任意の全方向に自在に撓む素材で形成され、挿入部５３は、複数の挿入係合部材５３１と任意の全方向に自在に撓む取付部位５２３とにより構成されているので、図１０に示されるように、約９０度に折り曲げた状態から、孔部９３に挿入させることが可能である。また、基体９の孔部９３の長手方向において、直線状、湾曲状、く字状、波状であっても、シート状部材５を装着することが可能であり、基体９の形状の自由度も高められる。
【００５３】
そして、シート状部材５の挿入部５３が基体９の孔部９３に挿入され係合された状態で、取付部材５２を下方に引っ張り、シート本体５１が張った状態で、両面シール５４にて、取付部材５２を被取付体Ｗに接着させる。これにより、防煙垂壁１が構成されるので、実施例２の防煙垂壁１でも熟練を要することが必要となされない。
【符号の説明】
【００５４】
１  防煙垂壁
２  固定部材
３  基体
３４  取付部
３４２  孔部
３５  延出部
４  壁構成部材
４１  導光板
４２  導光板
４４  光拡散シート
５  シート状部材
５２２  孔部
５３  挿入部
５４  両面シール
７  側枠
８  ＬＥＤ発光部
９  基体
９３  孔部
Ｃ  天井
【図１】
2019107242.tif 000003
【図２】
2019107242.tif 000004
【図３】
2019107242.tif 000005
【図４】
2019107242.tif 000006
【図５】
2019107242.tif 000007
【図６】
2019107242.tif 000008
【図７】
2019107242.tif 000009
【図８】
2019107242.tif 000010
【図９】
2019107242.tif 000011
【図１０】
2019107242.tif 000012